(57)【特許請求の範囲】
【請求項１】
図柄を変動表示する図柄表示手段により大当り図柄が停止表示されたときに大入賞口を所定時間開口する入賞装置と、この入賞装置に入賞した遊技球の流下方向に設けられた特定領域とを有しており、前記大入賞口の開口時間が所定時間に達するか、前記大入賞口への入賞数が所定数に達すると前記大入賞口が閉口し、前記大入賞口の開口から閉口までを１ラウンドとして前記大入賞口に入賞した遊技球が前記特定領域を通過することを条件に次のラウンドに進むパチンコ機において、
前記入賞装置は、
第１のハウジングと、
この第１のハウジングの右端に設けられた軸部材を回動軸として上下方向に回動することにより前記大入賞口を開閉する右羽根部材と、
前記第１のハウジングの左端に設けられた軸部材を回動軸として前記右羽根部材とリンクして上下方向に回動することにより前記大入賞口を開閉する左羽根部材と、
前記第１のハウジングの後部に形成された第２のハウジングと、
前記第１のハウジングと前記第２のハウジングとの間に形成された後ろ下がりの斜面と、
前記第２のハウジングに上下方向に貫通形成された前記特定領域と、
この特定領域の両側に形成された一般領域と、
前記第１のハウジングの上面の開口部から突出して動作可能に設けられた変更部材と、
遊技球が開放動作した前記左羽根部材から入賞し、前記変更部材に衝突して前記斜面を流下する流下経路Ａと、
遊技球が開放動作した前記右羽根部材から入賞し、前記変更部材に衝突して前記斜面を流下する流下経路Ｂとを備えており、
開放動作した前記左羽根部材から入賞した遊技球が前記流下経路Ａに沿って流下して前記特定領域を通過する確率と、開放動作した前記右羽根部材から入賞した遊技球が前記流下経路Ｂに沿って流下して前記特定領域を通過する確率とは、前記変更部材の動作後の形態によって、一方の流下経路の方が高く、他方の流下経路の方が低くなるように構成されており、
前記大当り図柄の種類により、前記変更部材の動作を制御する制御手段を備えたことを特徴とするパチンコ機。
【発明の詳細な説明】
【０００１】
【産業上の利用分野】
この発明は、パチンコ機、およびそのパチンコ機を機能させるためのコンピュータプログラムが記録された記録媒体に関し、たとえば遊技盤に設けられた図柄表示装置によって変動表示された図柄が所定の図柄で停止した場合に大当りを発生し、大入賞口に入賞した遊技球が特別領域を通過することを条件に大入賞口の連続開放が可能なパチンコ機、およびそのパチンコ機を機能させるためのコンピュータプログラムが記録された記録媒体に関する。
【０００２】
【従来の技術】
従来、この種のパチンコ機として、たとえば図１３に示すパチンコ機が知られている。図１３は従来のパチンコ機を正面から見た概略説明図である。
従来のパチンコ機８００は、遊技盤８０２と、この遊技盤８０２の遊技領域へ遊技球を発射する発射装置８０４とを備える。また、遊技盤８０２には、特別図柄表示装置８２４と、第１種始動口８１６と、大入賞口８２６とが備えられている。
そして、発射装置８０４から発射された遊技球が、第１種始動口８１６に入賞すると、特別図柄表示装置８２４が３箇所に図柄を変動表示し、停止した３つの図柄が所定の図柄（たとえば７７７）に揃った場合に大当りが発生し、大入賞口８２６を所定時間開放する。そして、大入賞口８２６の開放時間が所定時間に達するか、大入賞口８２６への入賞数が所定数に達すると大入賞口８２６が閉口する。このとき、大入賞口８２６に入賞した入賞球が、大入賞口８２６の内部に設けられた特定領域８２８を通過すると、連続して大入賞口８２６が開放する。このように、大入賞口８２６の開放から閉口までを１ラウンドとして、遊技球が特定領域８２８を通過することを条件に、所定回数のラウンド（たとえば１６ラウンド）を遊技できる。
【０００３】
【発明が解決しようとする課題】
しかし、従来のパチンコ機では、どの方向から大入賞口８２６に入賞した場合であっても、遊技球が特定領域８２８を通過する確率が同じであるため、遊技が単調になってしまうという問題がある。
【０００４】
そこでこの発明は、遊技球が入賞する方向によって、その入賞した遊技球が特定領域を通過する確率を異ならせることにより、遊技の単調さを解消することができるパチンコ機を実現することを目的とする。
【０００５】
【課題を解決するための手段・作用および効果】
この発明は、上記目的を達成するため、請求項１に記載の発明では、図柄を変動表示する図柄表示手段により大当り図柄が停止表示されたときに大入賞口を所定時間開口する入賞装置と、この入賞装置に入賞した遊技球の流下方向に設けられた特定領域とを有しており、前記大入賞口の開口時間が所定時間に達するか、前記大入賞口への入賞数が所定数に達すると前記大入賞口が閉口し、前記大入賞口の開口から閉口までを１ラウンドとして前記大入賞口に入賞した遊技球が前記特定領域を通過することを条件に次のラウンドに進むパチンコ機において、前記入賞装置は、第１のハウジングと、この第１のハウジングの右端に設けられた軸部材を回動軸として上下方向に回動することにより前記大入賞口を開閉する右羽根部材と、前記第１のハウジングの左端に設けられた軸部材を回動軸として前記右羽根部材とリンクして上下方向に回動することにより前記大入賞口を開閉する左羽根部材と、前記第１のハウジングの後部に形成された第２のハウジングと、前記第１のハウジングと前記第２のハウジングとの間に形成された後ろ下がりの斜面と、前記第２のハウジングに上下方向に貫通形成された前記特定領域と、この特定領域の両側に形成された一般領域と、前記第１のハウジングの上面の開口部から突出して動作可能に設けられた変更部材と、遊技球が開放動作した前記左羽根部材から入賞し、前記変更部材に衝突して前記斜面を流下する流下経路Ａと、遊技球が開放動作した前記右羽根部材から入賞し、前記変更部材に衝突して前記斜面を流下する流下経路Ｂとを備えており、開放動作した前記左羽根部材から入賞した遊技球が前記流下経路Ａに沿って流下して前記特定領域を通過する確率と、開放動作した前記右羽根部材から入賞した遊技球が前記流下経路Ｂに沿って流下して前記特定領域を通過する確率とは、前記変更部材の動作後の形態によって、一方の流下経路の方が高く、他方の流下経路の方が低くなるように構成されており、前記大当り図柄の種類により、前記変更部材の動作を制御する制御手段を備えたという技術的手段を用いる。
【０００６】
つまり、入賞装置は、遊技球が入賞する方向によって、その入賞した遊技球が特定領域を通過する確率が異なるように動作するため、遊技の単調さを解消することができる。
【０００８】
また、遊技球が、入賞装置の右羽根部材から入賞した場合と、左羽根部材から入賞した場合とで、その入賞した遊技球が斜面を流下して特定領域を通過する確率が異なるため、遊技者は、遊技球が入賞装置の左右のどちらから入賞するか、その行方を期待を込めて見守りながら遊技することとなるので、遊技の単調さを効果的に解消することができる。
【００１０】
さらに、右羽根部材または左羽根部材によって案内された遊技球は、変更部材によって特定領域を通過する確率の高い流下経路または低い流下経路に変更される。
したがって、変更部材を動作させることにより、特定領域を通過する確率の高い流下経路が一定の方向に特定されてしまうことがない。
【００１４】
さらに、図柄表示手段により停止表示された大当り図柄の種類により、流下経路を、特定領域を通過する確率の高い流下経路または低い流下経路となるように変更部材の動作を制御するため、遊技者は、大当り図柄の種類と変更部材の動作との対応関係を知ることができる。
【００２１】
【発明の実施の形態】
以下、この発明に係るパチンコ機の実施形態について図を参照して説明する。なお、以下の各実施形態では、この発明に係るパチンコ機として、いわゆる第１種パチンコ機を例に挙げて説明する。
［全体の主要構成］
まず、この実施形態に係るパチンコ機の主要構成について図１を参照して説明する。図１は、この実施形態に係るパチンコ機の外観の概略を示す斜視説明図である。
パチンコ機１には、前枠２がヒンジ８によって開閉可能に設けられており、その前枠２には、ガラス枠４が開閉可能に取付けられている。前枠２の右側には、ガラス枠４開閉用の鍵を差し込む鍵穴３が設けられている。ガラス枠４の内部には、遊技盤５が設けられており、前枠２の右下には、遊技球を遊技盤５へ発射する発射モータ（図７に符号１５ｅで示す）を駆動したり停止したりするための発射ハンドル１５が回動可能に取付けられている。
【００２２】
ガラス枠４の下部には、上受け皿パネル６が設けられており、その上受け皿パネル６には、賞球や貸球が供給される賞球・貸球供給口６ａが形成されている。その賞球・貸球供給口６ａの供給側には、その賞球・貸球供給口６ａから供給された賞球や貸球を貯留しておくための上受け皿６ｃが形成されている。上受け皿６ｃの下方には、上受け皿６ｃの収容可能数を超えて流下した賞球や上受け皿球抜きレバー６ｂの操作により上受け皿６ｃから排出された遊技球を排出する排出口７ａが形成されている。排出口７ａの排出側には、その排出口７ａから排出された遊技球を収容しておくための下受け皿７が設けられている。また、前枠２の正面上端には、枠ランプ９が設けられている。
【００２３】
［遊技盤５の主要構成］
次に、遊技盤５の主要構成についてそれを示す図２を参照して説明する。
遊技盤５の略中央（遊技盤５を左右に２等分する２等分線Ｌ上）には、センターケース３０が備えられている。センターケース３０には、天入賞口３１と、３個のＬＥＤからなる普通図柄表示装置３４と、この普通図柄表示装置３４の作動される回数の記憶数を表示する４個のＬＥＤからなる普通図柄記憶表示ＬＥＤ３４ａと、液晶表示で複数の図柄、たとえば０〜９の特別図柄を液晶表示器３２ａに変動表示する特別図柄表示装置３２と、この特別図柄表示装置３２が図柄を変動可能な回数の記憶数を表示する４個のＬＥＤからなる特別図柄記憶表示ＬＥＤ３６ａとが備えられている。
【００２４】
センターケース３０の左右には、遊技球の通過を検出し、普通図柄表示装置３４を作動させるための左ゲート１４，右ゲート１３が設けられている。右ゲート１３の下方には右袖入賞口１５が、左ゲート１４の下方には左袖入賞口１６がそれぞれ設けられている。センターケース３０の下方には、特別図柄表示装置３２を作動させる機能を有する第１種始動口１８が設けられており、この第１種始動口１８の下方には普通図柄表示装置３４の停止図柄が当たり図柄となった場合に両翼を開放する普通電動役物４１が設けられている。開放された普通電動役物４１は、第１種始動口１８と同様に特別図柄表示装置３２を作動させる機能を備えている。普通電動役物４１の下方には、特別図柄表示装置３２に表示された３つの停止図柄が大当り図柄（たとえば７７７）となった場合に作動する変動入賞装置４０が設けられている。変動入賞装置４０の右側には右下入賞口２０が、左側には左下入賞口２１がそれぞれ設けられている。
【００２５】
その他、遊技盤５には、発射された遊技球を遊技盤５に案内する案内レール１７、ＬＥＤが点灯する装飾風車１２，１２、風車２３，２３、入賞しなかった遊技球をアウト球として回収するアウト口１９、コーナー飾りＬＥＤ１０，１０、サイド飾りＬＥＤ１１，１１などが設けられている。また、遊技盤５には多くの釘（図示せず）が打ち込まれており、遊技盤５に発射された遊技球は、釘と釘の間を乱舞しながら落下し、各ゲートを通過したり、または各入賞口に入賞したり、あるいは通過および入賞をしないでアウト口１９から回収されたりする。
【００２６】
［変動入賞装置４０の構成］
次に、変動入賞装置４０の構成について図３ないし図５を参照して説明する。図３は、変動入賞装置４０の外観構成の概略を示す斜視説明図である。図４（Ａ），（Ｂ）は、図３に示す変動入賞装置４０に遊技球Ｐが入賞する様子を上方から見た説明図である。図５（Ａ）は、図４（Ａ）を正面から見た場合の縦断面説明図であり、図５（Ｂ）は、図４（Ｂ）を正面から見た場合の縦断面説明図である。
図３に示すように、変動入賞装置４０は、左右に横長の箱形状のハウジング４０ａを備えており、そのハウジング４０ａの右端には、右羽根部材４２が軸部材４２ａ（図５）を回動軸として上下方向（図５において矢印Ｆ３、Ｆ４で示す方向）に回動可能に取付けられている。また、ハウジング４０ａの左端には、左羽根部材４３が軸部材４３ａ（図５）を回動軸にして上下方向（図５において矢印Ｆ３、Ｆ４で示す方向）に回動可能に取付けられている。図５は、右羽根部材４２および左羽根部材４３が開放した状態であり、閉口時は、矢印Ｆ３で示す方向へ回動する。右羽根部材４２および左羽根部材４３は、図示しないリンク機構によって相互にリンクしており、そのリンク機構に接続された大入賞口ソレノイド（図７において符号４８で示す）のＯＮ・ＯＦＦによって開閉動作する。
【００２７】
図３に示すように、ハウジング４０ａの上面中央には、遊技球Ｐの流下経路を変更する変更部材４５が取付けられている。図５に示すように、変更部材４５は、ハウジング４０ａの上面の開口部４０ｆから突出しており、開口側が斜め上方を向いた湾曲面４５ａを備えており、その湾曲面４５ａの裏面４５ｂの中央部に支持部材４５ｄの一端が取付けられており、その支持部材４５ｄの他端には、軸部材４５ｃが挿通されている。その軸部材４５ｃは、図示しない伝達機構（たとえば歯車機構、カム機構、歯車およびカムを組み合わせた機構）を介してソレノイド（図７において符号４５ｅで示す）のプランジャに連結されている。
そして、変更部材４５は、ソレノイド４５ｅがＯＮし、プランジャが矢印Ｆ１で示す方向に伸張動作すると、図５（Ａ）に示すように左側に移動し、湾曲面４５ａは右側、つまりハウジング４０ａの右側上面４０ｂの方を向き（以下、単に右側に向くという）、逆に、ソレノイド４５ｅがＯＦＦし、プランジャが矢印Ｆ２で示す方向に退縮動作すると、図５（Ｂ）に示すように右側に移動し、湾曲面４５ａは左側、つまり左側上面４０ｃの方を向く（以下、単に左側を向くという）。
【００２８】
また、ハウジング４０ａの後部には、箱形状のハウジング４０ｄが形成されており、ハウジング４０ａとハウジング４０ｄとの間には、後ろ下がりの斜面４０ｅが形成されている。ハウジング４０ｄは、上下方向に３つの空間が貫通形成されており、その中央の空間は、特定領域４６を形成しており、その特定領域４６の右側には、一般領域４７が形成されており、左側には一般領域４８が形成されている。
さらに、ハウジング４０ａの前面には、表示装置４４が設けられており、表示装置４４は、右羽根部材４２の側に設けられた右ＬＥＤ４４ｂと、左羽根部材４３の側に設けられた左ＬＥＤ４４ａとを備える。そして、変更部材４５の湾曲面４５ａが右側を向いた場合に右ＬＥＤ４４ｂが点灯または点滅し、湾曲面４５ａ左側を向いた場合に左ＬＥＤ４４ａが点灯または点滅する。
なお、特定領域４６を通過した遊技球は、特定領域４６の内部に設けられた特定領域スイッチ（図７に符号４６ａで示す）によって検出され、変動入賞装置４０に入賞した遊技球は、大入賞口スイッチ（図７に符号４９で示す）によって検出される。
【００２９】
［変動入賞装置４０の動作］
次に、変動入賞装置４０の動作について説明する。
大当りが発生すると、図３ないし図５に示すように、右羽根部材４２および左羽根部材４３は、開放動作し、変更部材４５の湾曲面４５ａは、左右のいずれかに向く。変更部材の動作制御については後述する。
図４（Ａ）および図５（Ａ）に示すように、右羽根部材４２および左羽根部材４３が開放しており、変更部材４５の湾曲面４５ａが右側を向いている場合は、右羽根部材４２の方向（図中矢印Ｆ１で示す方向）から入賞した遊技球Ｐは、経路Ｂを通って変更部材４５の湾曲面４５ａに衝突し、その後、経路Ｂ１または経路Ｂ２のいずれかの経路を通る。ここで、遊技球Ｐは、経路Ｂ１を通った場合は、特定領域４６を通過し、経路Ｂ２を通った場合は、一般領域４７を通過する。つまり、変更部材４５の湾曲面４５ａが右側を向いている場合に右側から入賞すると、その入賞した遊技球は、高い確率（たとえば１／２）で特定領域４６を通過する。
また、左羽根部材４３の方向（図中矢印Ｆ２で示す方向）から入賞した遊技球Ｐは、経路Ａを通って変更部材４５の裏面４５ｂに衝突し、その後、経路Ａ３を通るが、上記衝突により、左側の一般領域４８寄りの経路となる。このため、特定領域４６を通過する確率は低く、左側の一般領域４８を通過する確率が高くなる。
【００３０】
次に、図４（Ｂ）および図５（Ｂ）に示すように、右羽根部材４２および左羽根部材４３が開放しており、変更部材４５の湾曲面４５ａが左側を向いている場合は、左羽根部材４３の方向（図中矢印Ｆ２で示す方向）から入賞した遊技球Ｐは、経路Ａを通って変更部材４５の湾曲面４５ａに衝突し、その後、経路Ａ１または経路Ａ２のいずれかの経路を通る。ここで、遊技球Ｐは、経路Ａ１を通った場合は、特定領域４６を通過し、経路Ａ２を通った場合は、一般領域４８を通過する。
つまり、変更部材４５の湾曲面４５ａが左側を向いている場合に左側から入賞すると、その入賞した遊技球は、高い確率（たとえば１／２）で特定領域４６を通過する。
また、右羽根部材４２の方向（図中矢印Ｆ１で示す方向）から入賞した遊技球Ｐは、経路Ｂを通って変更部材４５の裏面４５ｂに衝突し、その後、経路Ｂ３を通るが、上記衝突により、右側の一般領域４７寄りの経路となる。このため、特定領域４６を通過する確率は低く、右側の一般領域４７を通過する確率が高くなる。
以上のように、大当りが発生した場合に、変更部材４５の湾曲面４５ａが左右のどちらを向いているかによって、変動入賞装置４０の右側から入賞する場合と、左側から入賞する場合とで、入賞した遊技球が特定領域４６を通過する確率が変化する。
【００３１】
［パチンコ機１の電気的構成］
次に、パチンコ機１の主な電気的構成についてそれをブロックで示す図７を参照して説明する。
パチンコ機１には、主基板１００が設けられており、この主基板１００には、マイクロプロセッサ１１０が搭載されている。マイクロプロセッサ１１０には、遊技の主な制御を実行するメインＣＰＵ１１２と、このメインＣＰＵ１１２が各種制御を実行するための各種制御プログラムが記録されたＲＯＭ１１４と、メインＣＰＵ１１２が各種制御プログラムを実行する際にＲＯＭ１１４から読出された制御プログラムや遊技中に発生する大当りに関するデータなどの各種データを一時的に格納するＲＡＭ１１６とが搭載されている。
【００３２】
主基板１００には、次に記載するものが電気的に接続されている。各種のＬＥＤやランプを制御するランプ制御装置３００、電源基板８０、賞球の払出しなどを制御する払出制御基盤２００、特別図柄表示装置３２、遊技中の効果音などを制御する音声制御装置７９、遊技球の第１種始動口１８の通過を検出する第１種始動口スイッチ１８ａ、入賞や大当りなどに関する遊技盤情報をパチンコホールの管理室などに設けられたコンピュータ（図示省略）へ送信するための遊技枠情報端子基板５２、盤面中継基板５１、遊技枠中継基板５３である。
【００３３】
払出制御基盤２００には、主基板１００から送出される制御コマンドを入力して動作するマイクロプロセッサ２１０が搭載されており、マイクロプロセッサ２１０には、賞球の払出しなどを制御するサブＣＰＵ２１２と、このサブＣＰＵ２１２が賞球の払出しなどの制御を実行するための各種制御プログラムが記録されたＲＯＭ２１４と、サブＣＰＵ２１２が各種制御プログラムを実行する際にＲＯＭ２１４から読出された制御プログラムや遊技中に発生する入賞数や賞球数などの各種データを一時的に格納するＲＡＭ２１６とが搭載されている。
また、払出制御基盤２００には、電源基板８０、ＣＲ接続基板５６、発射モータ１５ｅを駆動するための発射モータ駆動基板１５ｃ、遊技枠情報端子基板５２および払出中継基板５５が電気的に接続されている。
【００３４】
遊技枠中継基板５３には、満杯検出スイッチ５３ａおよびセンサ中継基板５４が電気的に接続されている。センサ中継基板５４は、賞球ユニット６２に備えられた賞球払出センサ６２ａ，６２ｂおよび払出中継基板５５と電気的に接続されている。払出中継基板５５には、貸球切れスイッチ６１、賞球払出モータ６２ｃおよび貸球ユニット６３が電気的に接続されている。
盤面中継基板５１には、次に記載するものが電気的に接続されている。遊技球が右ゲート１３を通過したことを検出する右ゲートスイッチ１３ａ、左ゲート１４を通過したことを検出する左ゲートスイッチ１４ａ、大入賞口スイッチ４９、右袖入賞口スイッチ１５ａ、左袖入賞口スイッチ１６ａ、右下入賞口スイッチ２０ａ、左下入賞口スイッチ２１ａ、天入賞口スイッチ３１ａ、普通電動役物４１を開閉させる普通電動役物ソレノイド４１ａ、普通図柄表示装置３４および大入賞口中継基板５０である。
【００３５】
大入賞口中継基板５０には、変更部材動作用ソレノイド４５ｅ、大入賞口ソレノイド４８および特定領域スイッチ４６ａが電気的に接続されている。
電源基板８０は、ＣＲ接続基板５６と電気的に接続されており、ＣＲ接続基板５６には、プリペイドカードの残りの度数を表示する度数表示基板やプリペイドカードを読取る装置などを備えるパチンコ機外装置部分２２と電気的に接続されている。電源基板８０は、ＡＣ２４Ｖ（５０Ｈｚ／６０Ｈｚ）の主電源７０から電源の供給を受け、各基板へ必要電源を供給する。
【００３６】
［メインＣＰＵ１１２が実行する主な処理］
次に、メインＣＰＵ１１２が実行する主な処理について、それを示す図８のフローチャートを参照して説明する。
メインＣＰＵ１１２は、主電源７０（図７）により電源が投入されたことを検出すると（ステップ（以下、Ｓと略す）１０：Ｙｅｓ）、ＲＡＭ１１６のクリアなどの初期化を行う（Ｓ１２）。続いてメインＣＰＵ１１２は、次に記載する処理を実行する。（１）普通図柄表示装置３４を制御する普通図柄制御（Ｓ１４）。（２）普通電動役物ソレノイド４１ａをＯＮ・ＯＦＦ制御する普通電動役物制御（Ｓ１６）。（３）第１種始動口スイッチ１８ａのＯＮに基づいて大当り特別乱数値を選択する第１種始動口処理（Ｓ２０）。（４）特別図柄表示装置３２に画像制御コマンドを出力する特別図柄制御（Ｓ４０）。（５）変更部材４５の動作を制御することにより、遊技球の特定領域４５に対する通過率を制御する通過率制御（Ｓ１００）。（６）大当りによる遊技のおけるラウンドの進行内容を制御するラウンド制御（Ｓ２００）。（７）各種入賞口スイッチからの信号に基づいて払出制御基板２００のサブＣＰＵ２１２へ賞球払出コマンドを出力する入賞制御（Ｓ３００）。（８）音声制御装置７９へ音声制御コマンドを出力する音声制御（Ｓ４００）。（９）ランプ制御装置３００へランプ制御コマンドを出力するランプ制御（Ｓ５００）。（１０）貸球ユニット６３を制御する貸球制御（Ｓ６００）。
【００３７】
［第１種始動口処理］
次に、メインＣＰＵ１１２が図８のＳ２０において実行する第１種始動口処理の流れについて、それを示す図９のフローチャートを参照して説明する。
メインＣＰＵ１１２は、第１種始動口スイッチ１８ａ（図７）からのスイッチング信号を取込んで、遊技球が第１種始動口１８（図２）を通過したことを検出すると（Ｓ２２：Ｙｅｓ）、ＲＡＭ１１６に格納されている特別図柄始動記憶数Ｕ２が４未満であると判定した場合は（Ｓ２４：Ｙｅｓ）、特別図柄始動記憶数Ｕ２に「１」を加算する（Ｓ２６）。続いてメインＣＰＵ１１２は、大当り乱数値をカウントするカウンタから大当り乱数値を１つ抽出し（Ｓ２８）、その抽出した大当り乱数値をＲＡＭ１１６に一時的に格納する（Ｓ３０）。上記カウンタは、たとえば０〜２２４の計２２５コマの大当り乱数値をカウントする。
【００３８】
［特別図柄制御］
次に、メインＣＰＵ１１２が図８のＳ４０において実行する特別図柄制御の流れについて、それを示す図１０のフローチャートを参照して説明する。
メインＣＰＵ１１２は、特別図柄が変動中ではないと判定し（Ｓ４２：Ｎｏ）、特別図柄表示装置３２の始動記憶数Ｕが「１」以上であると判定すると（Ｓ４４：Ｙｅｓ）、始動記憶数Ｕから「１」を減算する（Ｓ４６）。続いてメインＣＰＵ１１２は、第１種始動口処理（図９）のＳ３０において格納した乱数値が、所定の乱数値（たとえば７）であるか否か、つまり大当りであるか否かを判定し（Ｓ４８）、大当りである場合は（Ｓ４８：Ｙｅｓ）、大当りフラグを立てる（Ｓ５０）。続いてメインＣＰＵ１１２は、特別図柄を所定のパターンで変動させるための変動パターン指定コマンドを特別図柄表示装置３２へ出力し（Ｓ５２）、図柄指定コマンドを出力するタイミングを計測するタイマをスタートする（Ｓ５４）。
【００３９】
そしてメインＣＰＵ１１２は、特別図柄が変動中であると判定し（Ｓ４２：Ｙｅｓ）、タイマの計測時間ＴがΔ１時間以上になったと判定すると（Ｓ５６：Ｙｅｓ）、左図柄指定コマンドを特別図柄表示装置３２へ出力する（Ｓ５８）。これにより、特別図柄表示装置３２は、左図柄の停止図柄をキャラクタＲＯＭ（図示せず）から読出す準備をする。続いてメインＣＰＵ１１２は、タイマの計測時間ＴがΔ２時間以上になったと判定すると（Ｓ６０：Ｙｅｓ）、中図柄指定コマンドを特別図柄表示装置３２へ出力する（Ｓ６２）。これにより、特別図柄表示装置３２は、中図柄の停止図柄をキャラクタＲＯＭから読出す準備をする。
続いてメインＣＰＵ１１２は、タイマの計測時間ＴがΔ３時間以上になったと判定すると（Ｓ６４：Ｙｅｓ）、右図柄指定コマンドを特別図柄表示装置３２へ出力する（Ｓ６６）。これにより、特別図柄表示装置３２は、右図柄の停止図柄をキャラクタＲＯＭから読出す準備をする。続いてメインＣＰＵ１１２は、タイマの計測時間ＴがΔ４時間以上になったと判定すると（Ｓ６８：Ｙｅｓ）、全図柄停止コマンドを特別図柄表示装置３２へ出力し（Ｓ７０）、タイマをリセットする（Ｓ７２）。これにより、特別図柄表示装置３２は、左・中・右図柄の変動を停止し、それぞれに準備していた停止図柄を表示する。
【００４０】
［通過率制御］
次に、メインＣＰＵ１１２が図８のＳ１００において実行する通過率制御の流れについて、それを示す図１１のフローチャートを参照して説明する。
メインＣＰＵ１１２は、図１０のＳ５０において大当りフラグが立てられたか否かを判定し（Ｓ１０２）、大当りフラグが立てられていると判定すると（Ｓ１０２：Ｙｅｓ）、Ｓ５２において出力した変動パターン指定コマンドによって示される大当り図柄を参照し（Ｓ１０４）、その参照した大当り図柄が奇数であるか否かを判定する（Ｓ１０６）。続いてメインＣＰＵ１１２は、上記参照した大当り図柄が奇数であると判定すると（Ｓ１０６：Ｙｅｓ）、変更部材動作用ソレノイド４５ｅ（図７）をＯＮする（Ｓ１０８）。
【００４１】
たとえば、大当り図柄が「７７７」である場合は、変更部材動作用ソレノイド４５ｅがＯＮする。
これにより、変更部材４５の湾曲面４５ａは、図４（Ａ）および図５（Ａ）に示すように右側を向くため、右羽根部材４２の方向、つまり変動入賞装置４０の右側から入賞した遊技球が特定領域４６を通過する確率が高くなり、逆に、変動入賞装置４０の左側から入賞した遊技球が特定領域４６を通過する確率が低くなる。
そしてメインＣＰＵ１１２は、右ＬＥＤ点灯コマンドをランプ制御装置３００へ出力し（Ｓ１１０）、左ＬＥＤ消灯コマンドをランプ制御装置３００へ出力する（Ｓ１１２）。これにより、右ＬＥＤ４４ｂ（図３）が点灯し、左ＬＥＤ４４ａが消灯するため、遊技者は、変更部材４５の湾曲面４５ａが右側を向いたことを知ることができる。
また、大当り図柄が偶数（たとえば「８８８」）である場合は、変更部材動作用ソレノイド４５ｅはＯＦＦのままであるため、変更部材４５の湾曲面４５ａは左側を向いたままとなるので、変動入賞装置４０の左側から入賞した遊技球が特定領域４６を通過する確率が高くなり、逆に、変動入賞装置４０の右側から入賞した遊技球が特定領域４６を通過する確率が低くなる。
【００４２】
［ラウンド制御］
次に、メインＣＰＵ１１２が図８のＳ２００において実行するラウンド制御の流れについて、それを示す図１２のフローチャートを参照して説明する。
メインＣＰＵ１１２は、特別図柄制御（図１０）のＳ５０において大当たりフラグが立てられていると判定すると（Ｓ２０２：Ｙｅｓ）、大当たりデモコマンドを特別図柄表示装置３２へ出力する（Ｓ２０４）。これにより、特別図柄表示装置３２は、「大当り」の文字や大当りを祝う動画などの大当たりデモを表示する。続いてメインＣＰＵ１１２は、ＲＡＭ１１６に格納されたラウンド数Ｒに「１」を加算し（Ｓ２０６）、右羽根部材４２および左羽根部材４３を開放するための開放コマンドを大入賞口ソレノイド４８へ出力し、大入賞口ソレノイド４８をＯＮして右羽根部材４２および左羽根部材４３を開放する（Ｓ２０８）。これにより、第１ラウンド（Ｒ＝１）が開始する。
【００４３】
続いてメインＣＰＵ１１２は、右羽根部材４２および左羽根部材４３が開放可能な最大時間である大入賞口開放時間Ｔ３（たとえば２９．５秒）を計測する。続いてメインＣＰＵ１１２は、大入賞口開放時間Ｔ３が経過したと判定すると（Ｓ２１０：Ｙｅｓ）、右羽根部材４２および左羽根部材４３を閉口するための閉口コマンドを大入賞口ソレノイド４８へ出力し、大入賞口ソレノイド４８をＯＦＦして右羽根部材４２および左羽根部材４３を閉口する（Ｓ２１４）。またメインＣＰＵ１１２は、大入賞口開放時間Ｔ３が経過するまでは（Ｓ２１０：Ｎｏ）、大入賞口スイッチ４９（図７）からのスイッチング信号を取り込んで入賞数Ｐ１をカウントし、その入賞数Ｐ１が１０以上になった場合は（Ｓ２１２：Ｙｅｓ）、大入賞口開放時間Ｔ３が経過する前でも右羽根部材４２および左羽根部材４３を閉口する（Ｓ２１４）。
【００４４】
続いてメインＣＰＵ１１２は、ＲＡＭ１１６を参照し、この大当りにおいて実行されたラウンド数Ｒが１６であるか否か、つまり実行可能な最大のラウンドである最終ラウンドを実行したかを判定するが（Ｓ２１６）、ここでは、まだ第１ラウンドが終了したのみであるから、次のＳ２１８へ進み（Ｓ２１６：Ｎｏ）、大入賞口開放時間Ｔ３の経過後から役物連続作動有効時間Ｔ４（たとえば１．９９６秒）を計測し、その役物連続作動有効時間Ｔ４が経過したと判定すると（Ｓ２１８：Ｙｅｓ）、特定領域スイッチ４６ａがＯＮしたか否かを判定する（Ｓ２２０）。つまり、遊技球が変動入賞装置４０に入賞してから特定領域４６（図４）を通過するに至るまでに所定時間要するため、右羽根部材４２および左羽根部材４３が閉口する直前に遊技球が変動入賞装置４０に入賞した場合のことを考え、その所定時間内に特定領域４６を通過した遊技球を有効として処理する。
【００４５】
続いてメインＣＰＵ１１２は、特定領域スイッチ４６ａがＯＮしたと判定すると（Ｓ２２０：Ｙｅｓ）、特定領域通過表示コマンドを特別図柄表示装置３２へ出力する（Ｓ２２２）。これにより、特別図柄表示装置３２は、「Ｖ」という文字を表示するため、遊技者は、次回も連続して右羽根部材４２および左羽根部材４３が開放することを知ることができる。続いてメインＣＰＵ１１２は、開放後インターバル時間Ｔ５（たとえば３秒）を計測し、その開放後インターバル時間Ｔ５が経過したと判定すると（Ｓ２２４：Ｙｅｓ）、Ｓ２０６〜Ｓ２２４を実行する。
そしてメインＣＰＵ１１２は、Ｓ２１６において最終ラウンド１６を実行したと判定した場合（Ｓ２１６：Ｙｅｓ）およびＳ２２０において特定領域スイッチ４６ａがＯＮしていないと判定した場合（Ｓ２２０：Ｎｏ）は、ＲＡＭ１１６に格納されているラウンド数Ｒおよび入賞数Ｐ１を０リセットし（Ｓ２２６）、大当りフラグを０リセットする（Ｓ２２８）。
【００４６】
［実施形態の効果］
以上のように、上記実施形態に係るパチンコ機１を使用すれば、大当り図柄が奇数であるか否かによって変更部材４５の湾曲面４５ａの向きを制御し、変動入賞装置４０の右側から入賞した場合と、左側から入賞した場合とで、その入賞した遊技球が特定領域４６を通過する確率を変化させることができる。
したがって、従来のように、変動入賞装置の左右どちらから入賞した場合でも、その入賞した遊技球が特定領域を通過する確率が変化しないものよりも、変化に富んだ遊技を楽しむことができるため、遊技の単調さを解消することができる。
【００４７】
［変動入賞装置の変更例］
図３ないし図５に示した変動入賞装置４０に代えて図６に示す変動入賞装置を用いることもできる。
図６（Ａ）および図６（Ｂ）は、変更例を示す変動入賞装置を正面から見た場合の縦断面説明図である。
変動入賞装置９０は、縦断面が略十字形状の変更部材９２を備える。変更部材９２は、ハウジング４０ａの上面から上方に垂直に突出した垂直部材９２ｃを備えており、その垂直部材９２ｃの下端は、ソレノイド９３のプランジャ９１と連結されている。そして、ソレノイド９３がＯＮし、プランジャ９１が矢印Ｆ１で示す方向へ伸張動作すると、垂直部材９２は図６（Ｂ）に示すように左側に移動し、ソレノイド９３がＯＦＦし、プランジャ９１が矢印Ｆ２で示す方向へ退縮動作すると、垂直部材９２は図６（Ａ）に示すように右側に移動する。
【００４８】
図６（Ａ）に示す状態では、変更部材９２の垂直部材９２ｃは、特定領域４６と右側の一般領域４７（図３、図４）との境界付近に存在しており、変動入賞装置９０の左側から入賞した遊技球は、垂直部材９２の左側面９２ｂに衝突し、高い確率で特定領域４６へ案内される。一方、右側から入賞した遊技球は、垂直部材９２の右側面９２ａに衝突するため、特定領域４６へ案内される確率は低い。また、図６（Ｂ）に示す状態では、変更部材９２の垂直部材９２ｃは、特定領域４６と左側の一般領域４８との境界付近に存在しており、変動入賞装置９０の右側から入賞した遊技球は、垂直部材９２の右側面９２ａに衝突し、高い確率で特定領域４６へ案内される。一方、左側から入賞した遊技球は、垂直部材９２の左側面９２ｂに衝突するため、特定領域４６へ案内される確率は低い。
【００４９】
以上のように、変動入賞装置９０を使用した場合でも、大当り図柄が奇数であるか否かによって変更部材９２の位置を制御し、変動入賞装置９０の右側から入賞した場合と、左側から入賞した場合とで、その入賞した遊技球が特定領域４６を通過する確率を変化させることができる。
したがって、従来のように、変動入賞装置の左右どちらから入賞した場合でも、その入賞した遊技球が特定領域を通過する確率が変化しないものよりも、変化に富んだ遊技を楽しむことができるため、遊技の単調さを解消することができる。
【００５０】
［他の実施形態］
（１）前記実施形態では、大当り図柄が奇数であるか否かによって変更部材４５の動作を制御する場合を説明したが、大当り図柄が特定の図柄であるか否か（たとえば７７７であるか否かなど）によって変更部材４５の動作を制御することもできる。
（２）前記実施形態では、大当りが発生したことを条件に、変更部材４５の動作を制御する場合を説明したが、大当り終了後に右ゲート１３または左ゲート１４を通過したこと、第１種始動口１８を通過したこと、所定の入賞口に入賞したこと、特定領域４６を通過したことなどを条件に変更部材４５の動作を制御することもできる。また、それらの各条件を組み合わせ、その組み合わせた条件を満たしたときに変更部材４５の動作を制御することもできる。
（３）前記実施形態では、発明に係るパチンコ機として第１種パチンコ機を例に挙げて説明したが、第２種パチンコ機、第３種パチンコ機、それら以外の種類のパチンコ機にもこの発明を適用できることは勿論である。
【００５１】
［各請求項と実施形態との対応関係］
変動入賞装置４０が請求項１の入賞装置に対応し、特別図柄表示装置３２が図柄表示手段に対応する。
【図面の簡単な説明】
【図１】この発明の実施形態に係るパチンコ機の概略構成を示す斜視説明図である。
【図２】図１に示すパチンコ機１に備えられた遊技盤５の主要構成を示す説明図である。
【図３】変動入賞装置４０の外観構成の概略を示す斜視説明図である。
【図４】図４（Ａ），（Ｂ）は、図３に示す変動入賞装置４０に遊技球Ｐが入賞する様子を上方から見た説明図である。
【図５】図５（Ａ）は、図４（Ａ）を正面から見た場合の縦断面説明図であり、図５（Ｂ）は、図４（Ｂ）を正面から見た場合の縦断面説明図である。
【図６】図６（Ａ）および図６（Ｂ）は、変更例を示す変動入賞装置を正面から見た場合の縦断面説明図である。
【図７】パチンコ機１の主な電気的構成をブロックで示す説明図である。
【図８】メインＣＰＵ１１２が実行する主な処理を示すフローチャートである。
【図９】メインＣＰＵ１１２が図８のＳ２０において実行する第１種始動口処理の流れを示すフローチャートである。
【図１０】メインＣＰＵ１１２が図８のＳ４０において実行する特別図柄制御の流れを示すフローチャートである。
【図１１】メインＣＰＵ１１２が図８のＳ１００において実行する通過率制御の流れを示すフローチャートである。
【図１２】メインＣＰＵ１１２が図８のＳ２００において実行するラウンド制御の流れを示すフローチャートである。
【図１３】従来のパチンコ機を正面から見た概略説明図である。
【符号の説明】
１０    パチンコ機
４０    変動入賞装置（入賞装置）
４２    右羽根部材
４３    左羽根部材
４４    表示装置
４５    変更部材
１１２    メインＣＰＵ
１１４    ＲＯＭ
【図１】
0003683472.tif 000002
【図２】
0003683472.tif 000003
【図３】
0003683472.tif 000004
【図４】
0003683472.tif 000005
【図５】
0003683472.tif 000006
【図６】
0003683472.tif 000007
【図７】
0003683472.tif 000008
【図８】
0003683472.tif 000009
【図９】
0003683472.tif 000010
【図１０】
0003683472.tif 000011
【図１１】
0003683472.tif 000012
【図１２】
0003683472.tif 000013
【図１３】
0003683472.tif 000014